【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
統合管理サーバであって、
店舗に商品を販売する複数の流通企業の複数の流通企業端末から、それぞれ販売実績情報を受け付けるデータ整形手段と、
前記店舗に販売される酒類の商品を前記複数の流通企業に対して共通に管理するための商品マスタ情報を、受け付けた前記それぞれの販売実績情報に基づいて更新するデータ突合手段と、
ユーザ端末から受信した商品関連情報を解析し、前記商品マスタ情報に登録されている酒類の商品に対応する特徴情報との比較を行うことにより酒類の商品を特定し、特定された酒類の商品に関する情報をユーザ端末に送信する商品判定手段と、
を有することを特徴とする統合管理サーバ。
【請求項２】
請求項１に記載の統合管理サーバであって、
前記データ整形手段は、前記それぞれの販売実績情報から取得した情報を前記複数の流通企業端末に対して共通に管理するための共通販売実績情報に記憶し、
前記データ突合手段は、
前記商品マスタ情報に登録されている酒類の商品が、前記共通販売実績情報に存在していた場合には、対応する酒類の商品を特定する商品特定情報を前記共通販売実績情報に記憶し、
前記商品マスタ情報に登録されている酒類の商品が前記共通販売実績情報に存在しなかった場合には、前記存在しなかった酒類の商品に関する情報を前記商品マスタ情報に追加する
ことで前記商品マスタ情報を更新する
ことを特徴とする統合管理サーバ。
【請求項３】
請求項１または２に記載の統合管理サーバであって、
前記ユーザ端末から受信する前記商品関連情報は、
・飲んだ商品か又は飲みたい商品かの少なくともいずれかを示す前記酒類の商品に対するユーザ付与情報、
・前記酒類の商品に対する評価を示すユーザ評価情報、
・カメラ部により取得された画像の一部またはすべて、
の少なくとも１つであり、
前記商品関連情報は、前記商品判定手段により前記商品関連情報を解析することにより特定された酒類の商品に関する情報と対応付けて記憶される
ことを特徴とする統合管理サーバ。
【請求項４】
請求項３に記載の統合管理サーバであって、
データを解析するデータ解析手段を有し、
前記データ解析手段は、
・前記ユーザ付与情報の内容又は量、
・前記ユーザ評価情報の内容又は量、
・前記共通販売実績情報の内容又は量、
の少なくとも１つに基づいて人気度を計算し、
前記商品判定手段は、前記特定された酒類の商品に関する情報として、前記人気度を前記ユーザ端末に送信する
ことを特徴とする統合管理サーバ。
【請求項５】
請求項１〜４のいずれか１項に記載の統合管理サーバであって、
データを解析するデータ解析手段を有し、
前記データ解析手段は、前記それぞれの販売実績情報に記憶された商品情報、店舗情報、販売量に基づいて、所定の酒類の商品を取り扱う店舗の量を希少度として計算し、
前記商品判定手段は、前記特定された酒類の商品に関する情報として、前記希少度を前記ユーザ端末に送信する
ことを特徴とする統合管理サーバ。
【請求項６】
請求項１〜５のいずれか１項に記載の統合管理サーバであって、
前記商品判定手段は、推薦する酒類の商品に関する情報を前記ユーザ端末に送信する
ことを特徴とする統合管理サーバ。
【請求項７】
請求項１〜６のいずれか１項に記載の統合管理サーバであって、
データを解析するデータ解析手段を有し、
前記データ解析手段は、前記複数の流通企業端末から受け付けた前記それぞれの販売実績情報に基づいて、所定の店舗における所定の商品の取扱切れリスクを求め、
前記商品判定手段は、前記特定された酒類の商品に関する情報として、特定された酒類の商品の取扱切れリスクを示す情報を前記ユーザ端末に送信する
ことを特徴とする統合管理サーバ。
【請求項８】
請求項１〜７のいずれか１項に記載の統合管理サーバであって、
前記商品判定手段は、前記複数の流通企業端末から受け付けた前記それぞれの販売実績情報に基づいて、前記特定された酒類の商品に関する情報として、特定された酒類の商品を取扱中である可能性が高い店舗を示す情報を前記ユーザ端末に送信する
ことを特徴とする統合管理サーバ。
【請求項９】
請求項８に記載の統合管理サーバであって、
前記特定された酒類の商品を取扱中である可能性が高い店舗を示す情報は、前記ユーザ端末に表示される地図上の前記所定の店舗を示す情報と対応付けて表示される
ことを特徴とする統合管理サーバ。
【請求項１０】
請求項３又は請求項３を直接または間接的に引用する請求項４〜９のいずれか１項に記載の統合管理サーバであって、
前記商品判定手段は、前記複数の流通企業端末から受け付けた前記それぞれの販売実績情報、前記ユーザ付与情報、又は前記ユーザ評価情報、の少なくとも１つに基づいて絞り込まれた店舗を示す情報を、前記ユーザ端末に送信する
ことを特徴とする統合管理サーバ。
【請求項１１】
請求項１〜１０のいずれか１項に記載の統合管理サーバであって、
前記商品判定手段は、前記複数の流通企業端末から受け付けた前記それぞれの販売実績情報に基づいて、所定の店舗で取り扱っている酒類の商品に関する情報を前記ユーザ端末に送信する
ことを特徴とする統合管理サーバ。
【請求項１２】
請求項１〜１１のいずれか１項に記載の統合管理サーバであって、
前記特定された酒類の商品に関する情報は、それぞれの商品の人気度、希少度、平均評価のうちの少なくとも１つである
ことを特徴とする統合管理サーバ。
【請求項１３】
請求項１〜１２のいずれか１項に記載の統合管理サーバであって、
受信手段が、前記ユーザ端末のカメラ部から取得されたスキャン対象画像から検出された、酒類に関連する複数の部分画像を、前記ユーザ端末から受信し、
前記商品判定手段は、前記複数の部分画像を前記画像関連情報として解析し、対応する複数の酒類の商品を特定し、特定された複数の酒類の商品に関する情報を前記ユーザ端末に送信し、
送信された前記複数の酒類の商品に関する情報は、前記スキャン対象画像の上の前記複数の部分画像の位置と対応付けて表示される
ことを特徴とする統合管理サーバ。
【請求項１４】
請求項１〜１３のいずれか１項に記載の統合管理サーバであって、
前記スキャン対象画像は、酒類の複数のボトルが写った画像、酒類に関する記事が写った画像、又はメニューが写った画像、の少なくとも１つであり、
前記スキャン対象画像の前記複数のボトルのラベル部分、前記記事に記載された文字列の部分、又は、前記メニューに記載された文字列の部分、の少なくとも１つが、前記複数の部分画像として検出される
ことを特徴とする統合管理サーバ。
【請求項１５】
請求項１〜１４のいずれか１項に記載の統合管理サーバであって、
前記商品マスタ情報は、酒類の商品を生産又は販売するメーカが使用するメーカ端末により更新される
ことを特徴とする統合管理サーバ。
【請求項１６】
統合管理サーバの管理方法であって、
店舗に商品を販売する複数の流通企業の複数の流通企業端末から、それぞれ販売実績情報を受け付け、
前記店舗に販売される酒類の商品を前記複数の流通企業に対して共通に管理するための商品マスタ情報を、受け付けた前記それぞれの販売実績情報に基づいて更新し、
ユーザ端末から受信した商品関連情報を解析し、前記商品マスタ情報に登録されている酒類の商品に対応する特徴情報との比較を行うことにより酒類の商品を特定し、
特定された酒類の商品に関する情報をユーザ端末に送信する、
ことを特徴とする管理方法。
【請求項１７】
酒類に関する情報を表示するユーザ端末であって、
商品関連情報を送信する商品登録手段と、
送信された前記商品関連情報に基づいて、商品マスタ情報に登録されている酒類の商品に対応する特徴情報との比較を行うことにより特定された酒類の商品に関する情報を、統合管理サーバから受信する受信手段と、
受信した前記酒類の商品に関する情報を表示する表示手段と、
を有し、
前記商品マスタ情報は、店舗に販売される酒類の商品を複数の流通企業端末に対して共通に管理するものであり、前記複数の流通企業端末から受け付けたそれぞれの販売実績情報に基づいて更新される
ことを特徴とするユーザ端末。
【請求項１８】
ユーザ端末に記録されるプログラムであって、
前記プログラムは前記ユーザ端末に
商品関連情報を送信する商品登録機能と、
送信された商品関連情報に基づいて、商品マスタ情報に登録されている酒類の商品に対応する特徴情報との比較を行うことにより特定された酒類の商品に関する情報を、統合管理サーバから受信する受信機能と、
受信した酒類の商品に関する情報を表示する表示機能、
を実現させるものであって、
前記商品マスタ情報は、店舗に販売される酒類の商品を複数の流通企業端末に対して共通に管理するものであり、前記複数の流通企業端末から受け付けたそれぞれの販売実績情報に基づいて更新される
ことを特徴とするプログラム。
【手続補正２】
【補正対象書類名】明細書
【補正対象項目名】０００８
【補正方法】変更
【補正の内容】
【０００８】
上記課題を解決するために、例えば特許請求の範囲に記載の構成を採用する。
【手続補正３】
【補正対象書類名】明細書
【補正対象項目名】０２０５
【補正方法】変更
【補正の内容】
【０２０５】
また、制御線や情報線は説明上必要と考えられるものを示しており、製品上必ずしも全ての制御線や情報線を示しているとは限らない。実際には殆ど全ての構成が相互に接続されていると考えてもよい。
なお、上述の実施例は少なくとも下記を開示している。
（１）
情報管理システムであって、
統合管理サーバは、
店舗に商品を販売する複数の流通企業の複数の流通企業端末から、それぞれ販売実績情報を受け付けるデータ整形手段と、
前記店舗に販売される酒類の銘柄を前記複数の流通企業に対して共通に管理するための銘柄マスタ情報を、受け付けた前記それぞれの販売実績情報に基づいて更新するデータ突合手段と、
ユーザ端末から受信した画像関連情報を解析し、前記銘柄マスタ情報に登録されている酒類の銘柄に対応する特徴情報との比較を行うことにより酒類の銘柄を特定し、特定された酒類の銘柄に関する情報をユーザ端末に送信する銘柄判定手段と、
を有し、
ユーザ端末は、
送信された酒類の銘柄に関する情報を表示する表示手段
を有する
ことを特徴とする情報管理システム。
（２）
（１）に記載の情報管理システムであって、
前記データ整形手段は、前記それぞれの販売実績情報から取得した情報を、前記複数の流通企業に対して共通に管理するための共通販売実績情報に記憶し、
共通販売実績情報に記憶し、
前記データ突合手段は、
前記銘柄マスタ情報に登録されている酒類の銘柄が、前記共通販売実績情報に存在していた場合には、対応する酒類の銘柄を特定する銘柄特定情報を前記共通販売実績情報に記憶し、
前記銘柄マスタ情報に登録されている酒類の銘柄が前記共通販売実績情報に存在しなかった場合には、前記存在しなかった酒類の銘柄に関する情報を前記銘柄マスタ情報に追加する
ことで前記銘柄マスタ情報を更新する
ことを特徴とする情報管理システム。
（３）
（１）または（２）に記載の情報管理システムであって、
前記ユーザ端末は、
ユーザから飲んだ銘柄または飲みたい銘柄の選択を受け付ける銘柄登録手段を有し、
前記銘柄登録手段は、飲んだ銘柄か飲みたい銘柄かを示す情報と共に、カメラ部により取得された画像の一部またはすべてを前記画像関連情報として前記統合管理サーバに送信し、
前記統合管理サーバは、前記銘柄判定手段により前記画像関連情報を解析することで特定された酒類の銘柄に関する情報と対応付けて、飲んだ銘柄か飲みたい銘柄かを示す情報を記憶する
ことを特徴とする情報管理システム。
（４）
（３）に記載の情報管理システムであって、
前記統合管理サーバは、
データを解析するデータ解析手段を有し、
前記データ解析手段は、前記飲みたい銘柄を示す情報が記憶されているユーザの量に基づいて人気度を計算し、
前記銘柄判定手段は、前記特定された酒類の銘柄に関する情報として、前記人気度を前記ユーザ端末に送信し、
前記ユーザ端末は、前記送信された酒類の銘柄に関する情報に基づいて、前記酒類の銘柄名と共に前記人気度を表示する
ことを特徴とする情報管理システム。
（５）
（１）〜（４）のいずれか１項に記載の情報管理システムであって、
前記統合管理サーバは、
データを解析するデータ解析手段を有し、
前記データ解析手段は、前記それぞれの販売実績情報に記憶された銘柄情報、店舗情報、販売量に基づいて、所定の酒類の銘柄を取り扱う店舗の量を希少度として計算し、
前記銘柄判定手段は、前記特定された酒類の銘柄に関する情報として、前記希少度を前記ユーザ端末に送信し、
前記ユーザ端末は、前記送信された酒類の銘柄に関する情報に基づいて、前記酒類の銘柄名と共に前記希少度を表示する
ことを特徴とする情報管理システム。
（６）
（１）〜（５）のいずれか１項に記載の情報管理システムであって、
前記統合管理サーバは、
データを解析するデータ解析手段を有し、
前記データ解析手段は、前記複数の流通企業端末から受け付けた前記それぞれの販売実績情報に基づいて、所定の店舗における所定の銘柄の取扱切れリスクを求め、前記特定された酒類の銘柄に関する情報として、前記取扱切れリスクを示す情報を前記ユーザ端末に送信し、
前記ユーザ端末は、前記送信された酒類の銘柄に関する情報に基づいて、前記所定の店舗における前記所定の銘柄の前記取扱切れリスクを示す情報を表示する
ことを特徴とする情報管理システム。
（７）
（６）に記載の情報管理システムであって、
前記取扱切れリスクは、地図上の前記所定の店舗を示す情報と対応付けて表示される
ことを特徴とする情報管理システム。
（８）
（６）または（７）に記載の情報管理システムであって、
前記取扱切れリスクは、前記複数の流通企業端末から受け付けた前記それぞれの販売実績情報に基づく購買頻度および前記所定の店舗に販売した時期の情報に基づいて判定される
ことを特徴とする情報管理システム。
（９）
（１）〜（８）のいずれか１項に記載の情報管理システムであって、
前記ユーザ端末は、
カメラ部から取得したスキャン対象画像から、酒類に関連する部分画像を複数検出し、検出した複数の部分画像を前記統合管理サーバに送信する銘柄スキャン手段を有し、
前記銘柄判定手段は、前記複数の部分画像を前記画像関連情報として解析し、対応する複数の酒類の銘柄を特定し、特定された複数の酒類の銘柄に関する情報を前記ユーザ端末に送信し、
前記ユーザ端末の前記表示手段は、前記スキャン対象画像の上の前記複数の部分画像の位置と対応付けて、受信した前記複数の酒類の銘柄に関する情報を表示する
ことを特徴とする情報管理システム。
（１０）
（９）に記載の情報管理システムであって、
前記複数の酒類の銘柄に関する情報は、それぞれの銘柄の人気度、希少度、平均評価のうちの少なくとも１つである
ことを特徴とする情報管理システム。
（１１）
（９）または（１０）に記載の情報管理システムであって、
前記スキャン対象画像は、酒類の複数のボトルが写った画像であり、
前記銘柄スキャン手段は、前記スキャン対象画像の前記複数のボトルのラベル部分を、前記複数の部分画像として検出する
ことを特徴とする情報管理システム。
（１２）
（９）または（１０）に記載の情報管理システムであって、
前記スキャン対象画像は、酒類に関する記事もしくはメニューであり、
前記銘柄スキャン手段は、前記スキャン対象画像の記事もしくはメニューに記載された文字列から、酒類に関する記載の部分を前記複数の部分画像として検出する
ことを特徴とする情報管理システム。
（１３）
酒類に関する情報を表示するユーザ端末であって、
カメラ部から画像を取得する画像取得手段と、
画像関連情報を送信する銘柄登録手段と、
送信された画像関連情報に基づいて銘柄マスタ情報に登録されている酒類の銘柄に対応する特徴情報との比較を行うことにより特定された酒類の銘柄に関する情報を統合管理サーバから受信する受信手段と、
受信した酒類の銘柄に関する情報を表示する表示手段と、
を有し、
前記銘柄マスタ情報は、店舗に販売される酒類の銘柄を複数の流通企業端末に対して共通に管理されるものであり、前記複数の流通企業端末から受け付けたそれぞれの販売実績情報に基づいて更新される
ことを特徴とするユーザ端末。
（１４）
（１３）に記載のユーザ端末であって、
前記それぞれの販売実績情報から取得した情報は、前記複数の流通企業に対して共通に管理するための共通販売実績情報として前記統合管理サーバに記憶されており、
前記銘柄マスタ情報は、
前記銘柄マスタ情報に登録されている酒類の銘柄が前記共通販売実績情報に存在していた場合には、対応する酒類の銘柄を特定する銘柄特定情報が前記共通販売実績情報に記憶され、
前記銘柄マスタ情報に登録されている酒類の銘柄が、前記共通販売実績情報に存在しなかった場合には、前記存在しなかった酒類の銘柄に関する情報が前記銘柄マスタ情報に追加される
ことにより更新される
ことを特徴とするユーザ端末。
（１５）
（１３）または（１４）に記載のユーザ端末であって、
前記ユーザ端末は、
ユーザから飲んだ銘柄または飲みたい銘柄の選択を受け付ける銘柄登録手段を有し、
前記銘柄登録手段は、飲んだ銘柄か飲みたい銘柄かを示す情報と共に、カメラ部により取得された画像の一部またはすべてを前記画像関連情報として前記統合管理サーバに送信する
ことを特徴とするユーザ端末。
（１６）
（１５）に記載のユーザ端末であって、
前記受信手段は、前記飲みたい銘柄を示す情報が記憶されているユーザの量に基づいて計算された人気度を酒類の銘柄に関する情報として受信し、
前記表示手段は、前記受信した酒類の銘柄に関する情報に基づいて、前記酒類の銘柄名と共に前記人気度を表示する
ことを特徴とするユーザ端末。
（１７）
（１３）〜（１６）のいずれか１項に記載のユーザ端末であって、
前記受信手段は、前記それぞれの販売実績情報に記憶された銘柄情報、店舗情報、販売数量に基づいて計算された所定の酒類の銘柄を取り扱う店舗の量を示す希少度を、酒類の銘柄に関する情報として受信し、
前記表示手段は、前記受信した酒類の銘柄に関する情報に基づいて、前記酒類の銘柄名と共に前記希少度を表示する
ことを特徴とするユーザ端末。
（１８）
（１３）〜（１７）のいずれか１項に記載のユーザ端末であって、
前記受信手段は、前記複数の流通企業端末から受け付けた前記それぞれの販売実績情報に基づいて計算された所定の店舗における所定の銘柄の取扱切れリスクを、前記酒類の銘柄に関する情報として受信し、
前記表示手段は、前記受信した酒類の銘柄に関する情報に基づいて、前記所定の店舗における前記所定の銘柄の前記取扱切れリスクを示す情報を表示する
ことを特徴とするユーザ端末。
（１９）
（１８）に記載のユーザ端末であって、
前記取扱切れリスクは、地図上の前記所定の店舗を示す情報と対応付けて表示される
ことを特徴とするユーザ端末。
（２０）
（１８）また（１９）に記載のユーザ端末であって、
前記取扱切れリスクは、前記複数の流通企業端末から受け付けた前記それぞれの販売実績情報に基づく購買頻度および店舗に販売した時期の情報に基づいて判定される
ことを特徴とするユーザ端末。
（２１）
（１３）〜（２０）のいずれか１項に記載のユーザ端末であって、
前記ユーザ端末は、
カメラ部から取得したスキャン対象画像から、酒類に関連する部分画像を複数検出し、検出した複数の部分画像を前記画像関連情報として前記統合管理サーバに送信する銘柄スキャン手段を有し、
前記受信部は、前記複数の部分画像に対応して特定された複数の酒類の銘柄に関する情報を受信し、
前記表示手段は、前記スキャン対象画像の上の前記複数の部分画像の位置と対応付けて、受信した前記複数の酒類の銘柄に関する情報を表示する
ことを特徴とするユーザ端末。
（２２）
（２１）に記載のユーザ端末であって、
前記複数の酒類の銘柄に関する情報は、それぞれの銘柄の人気度、希少度、平均評価のうちの少なくとも１つである
ことを特徴とするユーザ端末。
（２３）
（２１）または（２２）に記載のユーザ端末であって、
前記スキャン対象画像は、酒類の複数のボトルが写った画像であり、
前記銘柄スキャン手段は、前記スキャン対象画像の前記複数のボトルのラベル部分を、前記複数の部分画像として検出する
ことを特徴とするユーザ端末。
（２４）
（２１）または（２２）に記載のユーザ端末であって、
前記スキャン対象画像は、酒類に関する記事もしくはメニューであり、
前記銘柄スキャン手段は、前記スキャン対象画像の記事もしくはメニューに記載された文字列から、酒類に関する記載の部分を前記複数の部分画像として検出する
ことを特徴とするユーザ端末。
（２５）
酒類に関する情報を表示するユーザ端末を実現するためのプログラムであって、
前記ユーザ端末を（１３）〜（２４）のいずれか１項に記載の各手段として機能させるためのプログラム。
（２６）
統合管理サーバであって、
店舗に商品を販売する複数の流通企業の複数の流通企業端末から、それぞれ販売実績情報を受け付けるデータ整形手段と、
前記店舗に販売される酒類の銘柄を前記複数の流通企業に対して共通に管理するための銘柄マスタ情報を、受け付けた前記それぞれの販売実績情報に基づいて更新するデータ突合手段と、
ユーザ端末から受信した画像関連情報を解析し、前記銘柄マスタ情報に登録されている酒類の銘柄に対応する特徴情報との比較を行うことにより酒類の銘柄を特定し、特定された酒類の銘柄に関する情報をユーザ端末に送信する銘柄判定手段と、
を有することを特徴とする統合管理サーバ。
（２７）
（２６）に記載の統合管理サーバであって、
前記データ整形手段は、前記それぞれの販売実績情報から取得した情報を前記複数の流通企業に対して共通に管理するための共通販売実績情報に記憶し、
前記データ突合手段は、
前記銘柄マスタ情報に登録されている酒類の銘柄が、前記共通販売実績情報に存在していた場合には、対応する酒類の銘柄を特定する銘柄特定情報を前記共通販売実績情報に記憶し、
前記銘柄マスタ情報に登録されている酒類の銘柄が前記共通販売実績情報に存在しなかった場合には、前記存在しなかった酒類の銘柄に関する情報を前記銘柄マスタ情報に追加する
ことで前記銘柄マスタ情報を更新する
ことを特徴とする統合管理サーバ。
（２８）
（２６）または（２７）に記載の統合管理サーバであって、
前記ユーザ端末から、飲んだ銘柄か飲みたい銘柄かを示す情報と共にカメラ部により取得された画像の一部またはすべてを前記画像関連情報として受信し、
前記銘柄判定手段により前記画像関連情報を解析することで特定された酒類の銘柄に関する情報と対応付けて、飲んだ銘柄か飲みたい銘柄かを示す情報を記憶する
ことを特徴とする統合管理サーバ。
（２９）
（２８）に記載の統合管理サーバであって、
データを解析するデータ解析手段を有し、
前記データ解析手段は、前記飲みたい銘柄を示す情報が記憶されているユーザの量に基づいて人気度を計算し、
前記銘柄判定手段は、前記特定された酒類の銘柄に関する情報として、前記人気度を前記ユーザ端末に送信する
ことを特徴とする統合管理サーバ。
（３０）
（２６）〜（２９）のいずれか１項に記載の統合管理サーバであって、
データを解析するデータ解析手段を有し、
前記データ解析手段は、前記それぞれの販売実績情報に記憶された銘柄情報、店舗情報、販売量に基づいて、所定の酒類の銘柄を取り扱う店舗の量を希少度として計算し、
前記銘柄判定手段は、前記特定された酒類の銘柄に関する情報として、前記希少度を前記ユーザ端末に送信する
ことを特徴とする統合管理サーバ。
（３１）
（２６）〜（３０）のいずれか１項に記載の統合管理サーバであって、
データを解析するデータ解析手段を有し、
前記データ解析手段は、前記複数の流通企業端末から受け付けた前記それぞれの販売実績情報に基づいて、所定の店舗における所定の銘柄の取扱切れリスクを求め、前記特定された酒類の銘柄に関する情報として、前記取扱切れリスクを示す情報を前記ユーザ端末に送信する
ことを特徴とする統合管理サーバ。
（３２）
（３１）に記載の統合管理サーバであって、
前記取扱切れリスクは、前記ユーザ端末に表示される地図上の前記所定の店舗を示す情報と対応付けて表示される
ことを特徴とする統合管理サーバ。
（３３）
（３１）または（３２）に記載の統合管理サーバであって、
前記取扱切れリスクは、前記複数の流通企業端末から受け付けた前記それぞれの販売実績情報に基づく購買頻度および前記所定の店舗に販売した時期の情報に基づいて判定される
ことを特徴とする統合管理サーバ。
（３４）
（２６）〜（３３）のいずれか１項に記載の統合管理サーバであって、
前記ユーザ端末のカメラ部から取得されたスキャン対象画像から検出された、酒類に関連する複数の部分画像を、前記ユーザ端末から受信し、
前記銘柄判定手段は、前記複数の部分画像を前記画像関連情報として解析し、対応する複数の酒類の銘柄を特定し、特定された複数の酒類の銘柄に関する情報を前記ユーザ端末に送信し、
送信された前記複数の酒類の銘柄に関する情報は、前記スキャン対象画像の上の前記複数の部分画像の位置と対応付けて表示される
ことを特徴とする統合管理サーバ。
（３５）
（３４）に記載の統合管理サーバであって、
前記複数の酒類の銘柄に関する情報は、それぞれの銘柄の人気度、希少度、平均評価のうちの少なくとも１つである
ことを特徴とする統合管理サーバ。
（３６）
（３４）または（３５）に記載の統合管理サーバであって、
前記スキャン対象画像は、酒類の複数のボトルが写った画像であり、
前記スキャン対象画像の前記複数のボトルのラベル部分が、前記複数の部分画像として検出される
ことを特徴とする統合管理サーバ。
（３７）
（３５）または（３６）に記載の統合管理サーバであって、
前記スキャン対象画像は、酒類に関する記事もしくはメニューであり、
前記スキャン対象画像の記事もしくはメニューに記載された文字列の酒類に関する記載の部分が前記複数の部分画像として検出される
ことを特徴とする統合管理サーバ。